(57)【要約】【課題】一眼レフタイプの撮像装置において、電子ビューファインダーを用いてストロボ撮影を行う場合でも、短時間で適切な測光を行えるようにする。【解決手段】ライブビュー表示をしている状態から、被写体を照明するストロボ装置を用いて撮影を行う場合に、シャッター先幕を閉じるとともにクイックリターンミラーを撮影光路内に駆動して、光学ファインダ近傍の測光センサで一旦被写体からの反射光の測光を行った後に撮影を行う。【選択図】図４
2008122534.tif 000002
【特許請求の範囲】
【請求項１】
撮影レンズを介して入射した被写体像を光電変換する撮像素子と、
前記撮影レンズと前記撮像素子との間に配置され、前記撮像素子への露光を開始させるタイミングで開くシャッター先幕と、前記撮像素子への露光を終了させるタイミングで閉じるシャッター後幕とを有するシャッターと、
前記撮影レンズからの光束を用いて被写体像を観察するための光学ファインダと、
前記撮影レンズからの光束を前記光学ファインダに導くクイックリターンミラーと、
前記クイックリターンミラーを撮影光路内に位置する状態と撮影光路内から退避した状態とに移動駆動するミラー駆動手段と、
前記光学ファインダ近傍に配置され、前記撮影レンズから入射した被写体からの反射光を前記クイックリターンミラーを介して受光して測光を行う測光センサと、
前記撮像素子から得られる被写体像を表示する表示手段と、
前記シャッター先幕を予め開いた状態にさせるとともに前記クイックリターンミラーを前記撮影光路内から退避させることにより前記撮像素子から得られる被写体像を前記表示手段に逐次表示するライブビュー表示をしている状態から、被写体を照明する閃光発光装置を用いて撮影を行う場合に、前記シャッター先幕を閉じるとともに前記クイックリターンミラーを前記撮影光路内に駆動して、前記測光センサで、前記閃光発光装置による予備発光を行うことにより一旦被写体からの反射光の測光を行った後に、再び前記クイックリターンミラーを前記撮影光路内から退避させて、前記閃光発光装置の本発光を伴う前記撮像素子への露光動作を行うように制御する制御手段と、
を具備することを特徴とする撮像装置。
【請求項２】
前記制御手段は、前記閃光発光装置を用いずに被写体を撮影する場合には、前記クイックリターンミラーを前記撮影光路内に駆動することなく、前記撮像素子により測光を行った後に撮影を行うように制御することを特徴とする請求項１に記載の撮像装置。
【請求項３】
撮影レンズを介して入射した被写体像を光電変換する撮像素子と、
前記撮影レンズと前記撮像素子との間に配置され、前記撮像素子への露光を開始させるタイミングで開くシャッター先幕と、前記撮像素子への露光を終了させるタイミングで閉じるシャッター後幕とを有するシャッターと、
前記撮影レンズからの光束を用いて被写体像を観察するための光学ファインダと、
前記撮影レンズからの光束を前記光学ファインダに導くクイックリターンミラーと、
前記クイックリターンミラーを撮影光路内に位置する状態と撮影光路内から退避した状態とに移動駆動するミラー駆動手段と、
前記クイックリターンミラーの下方に配置され、前記撮影レンズから入射して前記シャッター先幕により反射される被写体からの光を受光して測光を行う測光センサと、
前記撮像素子から得られる被写体像を表示する表示手段と、
前記シャッター先幕を予め開いた状態にさせるとともに前記クイックリターンミラーを前記撮影光路内から退避させることにより前記撮像素子から得られる被写体像を前記表示手段に逐次表示するライブビュー表示をしている状態から、被写体を照明する閃光発光装置を用いて撮影を行う場合に、前記シャッター先幕を閉じて、前記測光センサで、前記閃光発光装置による予備発光を行うことにより一旦前記シャッター先幕からの反射光の測光を行った後に、前記閃光発光装置の本発光を伴う前記撮像素子への露光動作を行うように制御する制御手段と、
を具備することを特徴とする撮像装置。
【請求項４】
前記制御手段は、前記閃光発光装置を用いずに被写体を撮影する場合には、前記シャッター先幕を閉じる前に前記撮像素子により測光を行い、その後撮影を行うように制御することを特徴とする請求項３に記載の撮像装置。
【請求項５】
撮影レンズを介して入射した被写体像を光電変換する撮像素子と、前記撮影レンズと前記撮像素子との間に配置され、前記撮像素子への露光を開始させるタイミングで開くシャッター先幕と、前記撮像素子への露光を終了させるタイミングで閉じるシャッター後幕とを有するシャッターと、前記撮影レンズからの光束を用いて被写体像を観察するための光学ファインダと、前記撮影レンズからの光束を前記光学ファインダに導くクイックリターンミラーと、前記クイックリターンミラーを撮影光路内に位置する状態と撮影光路内から退避した状態とに移動駆動するミラー駆動手段と、前記光学ファインダ近傍に配置され、前記撮影レンズから入射した被写体からの反射光を前記クイックリターンミラーを介して受光して測光を行う測光センサと、前記撮像素子から得られる被写体像を表示する表示手段と、を備える撮像装置を制御する方法であって、
前記シャッター先幕を予め開いた状態にさせるとともに前記クイックリターンミラーを前記撮影光路内から退避させることにより前記撮像素子から得られる被写体像を前記表示手段に逐次表示するライブビュー表示をしている状態から、被写体を照明する閃光発光装置を用いて撮影を行う場合に、前記シャッター先幕を閉じるとともに前記クイックリターンミラーを前記撮影光路内に駆動して、前記測光センサで、前記閃光発光装置による予備発光を行うことにより一旦被写体からの反射光の測光を行った後に、再び前記クイックリターンミラーを前記撮影光路内から退避させて、前記閃光発光装置の本発光を伴う前記撮像素子への露光動作を行うように制御する工程を具備することを特徴とする撮像装置の制御方法。
【請求項６】
撮影レンズを介して入射した被写体像を光電変換する撮像素子と、前記撮影レンズと前記撮像素子との間に配置され、前記撮像素子への露光を開始させるタイミングで開くシャッター先幕と、前記撮像素子への露光を終了させるタイミングで閉じるシャッター後幕とを有するシャッターと、前記撮影レンズからの光束を用いて被写体像を観察するための光学ファインダと、前記撮影レンズからの光束を前記光学ファインダに導くクイックリターンミラーと、前記クイックリターンミラーを撮影光路内に位置する状態と撮影光路内から退避した状態とに移動駆動するミラー駆動手段と、前記クイックリターンミラーの下方に配置され、前記撮影レンズから入射して前記シャッター先幕により反射される被写体からの光を受光して測光を行う測光センサと、前記撮像素子から得られる被写体像を表示する表示手段と、を備える撮像装置を制御する方法であって、
前記シャッター先幕を予め開いた状態にさせるとともに前記クイックリターンミラーを前記撮影光路内から退避させることにより前記撮像素子から得られる被写体像を前記表示手段に逐次表示するライブビュー表示をしている状態から、被写体を照明する閃光発光装置を用いて撮影を行う場合に、前記シャッター先幕を閉じて、前記測光センサで、前記閃光発光装置による予備発光を行うことにより一旦前記シャッター先幕からの反射光の測光を行った後に、前記閃光発光装置の本発光を伴う前記撮像素子への露光動作を行うように制御する工程を具備することを特徴とする撮像装置の制御方法。
【請求項７】
請求項５又は６に記載の制御方法をコンピュータに実行させることを特徴とするプログラム。
【発明の詳細な説明】
【技術分野】
【０００１】
本発明は、撮像素子から得られる撮像対象物の画像をライブビュー表示可能な撮像装置における測光技術に関するものである。
【背景技術】
【０００２】
一般に、ＣＣＤ等の撮像素子を用いた一眼レフタイプのデジタルカメラでは、被写体像を観察するために、撮影レンズから撮像素子に至る撮影光路に反射ミラーを斜め上向きにに配置し、被写体からの光を光学ファインダーに導いている。そして、撮像素子により撮影を行う時点で、ミラーを回動させて光路から退避させ、被写体からの光を撮像素子に導く。即ち、撮影すなわち撮像素子の露光の直前まではミラーを光路上に位置させて被写体からの光をファインダー光学系に向けて反射させ、撮影時にはミラーを光路上から退避させて光を撮像素子に導き、撮影直後にミラーを光路上に戻す制御が行われる。この方式のミラーはクイックリターンミラーと呼ばれている。
【０００３】
このような構成の一眼レフタイプのデジタルカメラでは、実際の撮影時以外ではクイックリターンミラーが撮影レンズの光路上に存在するため、撮像素子には被写体光が入射しない。そのため、撮像素子で受光した被写体像をリアルタイムにカメラの背面に配置された表示装置に表示するライブビュー表示動作を行うことができず、表示装置を電子ビューファインダーとして用いることができない。光学ファインダー以外に電子ビューファインダーを用いることができれば、撮影者にとって利便性が向上するため、以前から電子ビューファインダー機能も備えた一眼レフタイプのデジタルカメラが望まれていた。
【０００４】
この要望にこたえるために、例えば特許文献１には、クイックリターンミラーとしてハーフミラーを備えたデジタルカメラが提案されている。この構成では、ハーフミラーが光路上に位置しているときも光が撮像素子に入射するため、撮像素子で画像を生成することが可能となり、ライブビューすなわち電子ビューファインダー機能を実現することができる。また、ハーフミラーで反射された被写体像がファインダー光学系にも入射するため、光学ファインダーを併用することもできる。また、記録用の画像を撮影する際には、ハーフミラーを光路から退避させることで、撮影レンズからの光を全て撮影に利用することが可能になる。
【０００５】
しかしながら、この構成ではライブビュー表示を行うときに撮像素子に導かれる光は常に撮影レンズを透過した光の一部のみとなるため、暗い環境での撮影においては、良好なライブビュー画像を得ることができない。
【０００６】
良好なライブビュー画像を得るためには、クイックリターンミラーを撮影レンズの光路上から退避させておき、撮影レンズからの光を全て撮像素子に導くのが理想的である。
【特許文献１】特開２００５−２９５５７７号公報
【発明の開示】
【発明が解決しようとする課題】
【０００７】
ところで、一眼レフタイプのデジタルカメラでは、被写界の光量を検出する測光センサーをファインダー光学系に内蔵し、撮影レンズからの光束をクイックリターンミラーやペンタプリズムを介して測光センサーに導き、被写界の測光を行っている。そのため、上記のように電子ビューファインダー機能を使用するためにクイックリターンミラーを撮影レンズの光路上から退避させているときには、測光センサーで被写界を測光することができない。
【０００８】
そのため、電子ビューファインダー機能を使用している場合には、撮像素子で生成した画像信号を用いて被写界の測光を行うことになる。その場合、自然光を測光する場合では、電子ビューファインダー動作中は撮像素子が常に画像信号を生成して測光動作も行っているので、電子ビューファインダー動作から実際の撮影を行う動作に移行するまでのタイムラグは比較的少なくてすむ。
【０００９】
ところが、ストロボ撮影を行う場合は、実際の撮影動作の前にストロボのプリ発光を行い、ストロボのプリ発光における発光光量と被写体からの反射光の光量分布を検出し、それに基づいてストロボの本発光の発光量を決定する必要がある。そのため、ライブビューモードにおけるストロボ撮影では、撮影前に、ストロボのプリ発光を行って撮像素子からプリ発光による画像を読み出して本発光の発光量を決定する動作が必要となり、プリ発光から本発光までのタイムラグが大きくなるという問題がある。特に、撮像素子は２次元状に多数の画素を有するため、その信号を読み出すのに時間がかかり、撮像素子を用いて測光を行うと通常の測光センサーを用いる場合よりも測光のための時間が長くかかり、タイムラグが大きくなる。また、撮像素子は通常の測光センサーと比較してダイナミックレンジが狭く、正確な測光値が得られにくいという問題もある。
【００１０】
従って、本発明は上述した課題に鑑みてなされたものであり、その目的は、一眼レフタイプの撮像装置において、電子ビューファインダーを用いてストロボ撮影を行う場合でも、短時間で適切な測光を行えるようにすることである。
【課題を解決するための手段】
【００１１】
上述した課題を解決し、目的を達成するために、本発明に係わる撮像装置は、  撮影レンズを介して入射した被写体像を光電変換する撮像素子と、前記撮影レンズと前記撮像素子との間に配置され、前記撮像素子への露光を開始させるタイミングで開くシャッター先幕と、前記撮像素子への露光を終了させるタイミングで閉じるシャッター後幕とを有するシャッターと、前記撮影レンズからの光束を用いて被写体像を観察するための光学ファインダと、前記撮影レンズからの光束を前記光学ファインダに導くクイックリターンミラーと、前記クイックリターンミラーを撮影光路内に位置する状態と撮影光路内から退避した状態とに移動駆動するミラー駆動手段と、前記光学ファインダ近傍に配置され、前記撮影レンズから入射した被写体からの反射光を前記クイックリターンミラーを介して受光して測光を行う測光センサと、前記撮像素子から得られる被写体像を表示する表示手段と、前記シャッター先幕を予め開いた状態にさせるとともに前記クイックリターンミラーを前記撮影光路内から退避させることにより前記撮像素子から得られる被写体像を前記表示手段に逐次表示するライブビュー表示をしている状態から、被写体を照明する閃光発光装置を用いて撮影を行う場合に、前記シャッター先幕を閉じるとともに前記クイックリターンミラーを前記撮影光路内に駆動して、前記測光センサで、前記閃光発光装置による予備発光を行うことにより一旦被写体からの反射光の測光を行った後に、再び前記クイックリターンミラーを前記撮影光路内から退避させて、前記閃光発光装置の本発光を伴う前記撮像素子への露光動作を行うように制御する制御手段と、を具備することを特徴とする。
【００１２】
また、本発明に係わる撮像装置は、撮影レンズを介して入射した被写体像を光電変換する撮像素子と、前記撮影レンズと前記撮像素子との間に配置され、前記撮像素子への露光を開始させるタイミングで開くシャッター先幕と、前記撮像素子への露光を終了させるタイミングで閉じるシャッター後幕とを有するシャッターと、前記撮影レンズからの光束を用いて被写体像を観察するための光学ファインダと、前記撮影レンズからの光束を前記光学ファインダに導くクイックリターンミラーと、前記クイックリターンミラーを撮影光路内に位置する状態と撮影光路内から退避した状態とに移動駆動するミラー駆動手段と、前記クイックリターンミラーの下方に配置され、前記撮影レンズから入射して前記シャッター先幕により反射される被写体からの光を受光して測光を行う測光センサと、前記撮像素子から得られる被写体像を表示する表示手段と、前記シャッター先幕を予め開いた状態にさせるとともに前記クイックリターンミラーを前記撮影光路内から退避させることにより前記撮像素子から得られる被写体像を前記表示手段に逐次表示するライブビュー表示をしている状態から、被写体を照明する閃光発光装置を用いて撮影を行う場合に、前記シャッター先幕を閉じて、前記測光センサで、前記閃光発光装置による予備発光を行うことにより一旦前記シャッター先幕からの反射光の測光を行った後に、前記閃光発光装置の本発光を伴う前記撮像素子への露光動作を行うように制御する制御手段と、を具備することを特徴とする。
【００１３】
また、本発明に係わる撮像装置の制御方法は、撮影レンズを介して入射した被写体像を光電変換する撮像素子と、前記撮影レンズと前記撮像素子との間に配置され、前記撮像素子への露光を開始させるタイミングで開くシャッター先幕と、前記撮像素子への露光を終了させるタイミングで閉じるシャッター後幕とを有するシャッターと、前記撮影レンズからの光束を用いて被写体像を観察するための光学ファインダと、前記撮影レンズからの光束を前記光学ファインダに導くクイックリターンミラーと、前記クイックリターンミラーを撮影光路内に位置する状態と撮影光路内から退避した状態とに移動駆動するミラー駆動手段と、前記光学ファインダ近傍に配置され、前記撮影レンズから入射した被写体からの反射光を前記クイックリターンミラーを介して受光して測光を行う測光センサと、前記撮像素子から得られる被写体像を表示する表示手段と、を備える撮像装置を制御する方法であって、前記シャッター先幕を予め開いた状態にさせるとともに前記クイックリターンミラーを前記撮影光路内から退避させることにより前記撮像素子から得られる被写体像を前記表示手段に逐次表示するライブビュー表示をしている状態から、被写体を照明する閃光発光装置を用いて撮影を行う場合に、前記シャッター先幕を閉じるとともに前記クイックリターンミラーを前記撮影光路内に駆動して、前記測光センサで、前記閃光発光装置による予備発光を行うことにより一旦被写体からの反射光の測光を行った後に、再び前記クイックリターンミラーを前記撮影光路内から退避させて、前記閃光発光装置の本発光を伴う前記撮像素子への露光動作を行うように制御する工程を具備することを特徴とする。
【００１４】
また、本発明に係わる撮像装置の制御方法は、撮影レンズを介して入射した被写体像を光電変換する撮像素子と、前記撮影レンズと前記撮像素子との間に配置され、前記撮像素子への露光を開始させるタイミングで開くシャッター先幕と、前記撮像素子への露光を終了させるタイミングで閉じるシャッター後幕とを有するシャッターと、前記撮影レンズからの光束を用いて被写体像を観察するための光学ファインダと、前記撮影レンズからの光束を前記光学ファインダに導くクイックリターンミラーと、前記クイックリターンミラーを撮影光路内に位置する状態と撮影光路内から退避した状態とに移動駆動するミラー駆動手段と、前記クイックリターンミラーの下方に配置され、前記撮影レンズから入射して前記シャッター先幕により反射される被写体からの光を受光して測光を行う測光センサと、前記撮像素子から得られる被写体像を表示する表示手段と、を備える撮像装置を制御する方法であって、前記シャッター先幕を予め開いた状態にさせるとともに前記クイックリターンミラーを前記撮影光路内から退避させることにより前記撮像素子から得られる被写体像を前記表示手段に逐次表示するライブビュー表示をしている状態から、被写体を照明する閃光発光装置を用いて撮影を行う場合に、前記シャッター先幕を閉じて、前記測光センサで、前記閃光発光装置による予備発光を行うことにより一旦前記シャッター先幕からの反射光の測光を行った後に、前記閃光発光装置の本発光を伴う前記撮像素子への露光動作を行うように制御する工程を具備することを特徴とする。
【００１５】
また、本発明に係わるプログラムは、上記の制御方法をコンピュータに実行させることを特徴とする。
【発明の効果】
【００１６】
本発明によれば、一眼レフタイプの撮像装置において、電子ビューファインダーを用いてストロボ撮影を行う場合でも、短時間で適切な測光を行うことが可能となる。
【発明を実施するための最良の形態】
【００１７】
以下、本発明の好適な実施形態について、添付図面を参照して詳細に説明する。
【００１８】
（第１の実施形態）
図１及び図２は、本発明の第１の実施形態に係わる一眼レフデジタルカメラの光学的配置を示した図である。
【００１９】
図１及び図２において、カメラ本体１に対して着脱可能な撮影レンズ２は、マウント部３によりカメラ本体１に固定される。カメラ本体１には、取り外し可能なストロボ装置４が接続可能である。なお、ストロボ装置４は、カメラ本体１に内蔵される形式のものでもよい。撮影レンズ２は、ズーミングのためのレンズ５と、ピント合わせのためのレンズ６と、絞り７とを備えている。
【００２０】
撮影レンズ２を通ってきた被写体からの光束は、クイックリターンミラー８により上方に反射され、ピント板９とコンデンサレンズ１０で結像された後、拡散され、ペンタプリズム１１及びアイピースレンズ１２を通って被写界像として撮影者により観察される。
【００２１】
またペンタプリズム１１を通った光束の一部は測光用のレンズ１３を介して測光用センサ１４に導かれる。
【００２２】
撮影時およびライブビューモード（電子ビューファインダーモード）時においては、図２に示すようにクイックリターンミラー８はピント板９側にはね上げられる。そして、撮影レンズ２を通ってきた被写体からの光束が、シャッター先幕１５の直後に配置された撮像素子１６に入射し、画像信号に変換され、所定の画像処理を施されて表示器１７に表示される。または不図示の記録媒体に画像データとして記録される。
【００２３】
また、ストロボ撮影時の測光手段として、調光用測光センサ１８、測光用の集光レンズ１９が、クイックリターンミラー８の下方に配置されている。ストロボ撮影時には、ストロボ装置４のプリ発光動作によりストロボ装置４から投射されて被写体で反射された光をフォーカルプレーンシャッター１５ａのシャッター先幕１５で反射させ、その光を調光用測光センサ１８で受光して測光を行う。そのため、シャッター先幕１５で反射された光を調光用測光センサ１８の受光面上に導くよう、集光レンズ１９が位置決めされている。これは撮像素子１６の前面に配置された図示しないローパスフィルターやカバーガラス等の反射の影響により、撮像素子面のダイレクト測光ができないためであり、その代わりにシャッター幕面反射を用いて測光を行う。
【００２４】
なお、この第１の実施形態では、第２の実施形態の説明を行う便宜上、カメラ本体１が後述する測光用センサ１４と、上記の調光用測光センサ１８の両方を持つように説明している。しかし、この第１の実施形態では、後述するように、ストロボ撮影時の測光も測光用センサ１４で行っているため、調光用測光センサ１８は必ずしも必要ではない。
【００２５】
図３は、第１の実施形態に係わる一眼レフデジタルカメラのブロック構成を示す図である。
【００２６】
図１及び図２の説明と一部重複するが、図３において、２は被写体像を結像させるための撮影レンズ、７は撮影レンズ２中に備えられ、撮像素子１６に入射する光量を調節するための絞り、１６は被写体像を光電変換するための撮像素子である。撮像素子１６の前方には、フォーカルプレーンシャッター１５ａが配置されている。また、４３は撮像素子１６から出力されるアナログ画像信号をデジタル信号に変換するＡ／Ｄコンバータ、４４はＡ／Ｄコンバータ４３から出力されるデジタル画像信号を処理する画像処理装置である。また、４５は撮影レンズ２のレンズ位置や絞りの開度を制御するレンズ系制御部、４７はデジタルカメラ全体の動作を制御するカメラ制御部、４８はレリーズスイッチ２２、表示器１７、ライブビュー操作スイッチ２１などとのＩ／Ｏ、４９は撮影画像や種々の情報を記憶するメモリである。また、１４は被写界を測光する測光用センサ、４は被写体を照明するためのストロボ装置、１８はストロボ装置４により照明された被写界を測光する調光用測光センサ、２０はクイックリターンミラー８を駆動するミラー駆動装置である。また、２１は撮像素子１６で得られた画像をリアルタイムでスルー表示するライブビュー表示を行うか否かを切り替えるライブビュー操作スイッチである。また、２２は半押しでスイッチＳＷ１がＯＮして撮影準備動作を行い、全押しでスイッチＳＷ２がＯＮして撮影動作を行う、２段階構成のレリーズスイッチである。また、２３はフォーカルプレーンシャッター１５ａを制御するシャッター制御装置である。
【００２７】
ユーザーの操作はＩ／Ｏ４８を介して取得され、ユーザーの指示によって電源ＯＮ／ＯＦＦ、撮影動作などが行われる。撮影動作が指示された場合、測光用センサ１４、調光用測光センサ１８や撮像素子１６から得られる情報に基づいてカメラ制御部４７は適切な撮影条件を決定し、レンズ系制御部４５を介して適切なレンズ位置などを設定する。露光後に撮像素子１６の出力信号をＡ／Ｄコンバータ４３を介してデジタル化したのち、画像処理装置４４で適切な画像処理を施してメモリ４９に保存する。また必要な場合には、Ｉ／Ｏ４８を介して表示器１７に画像を表示する。
【００２８】
画像処理装置４４は、一般的には、ホワイトバランス調整、ＲＧＢ現像、圧縮符号化等の処理を行う。
【００２９】
図４は、第１の実施形態の一眼レフデジタルカメラにおける、ライブビューモードで撮影を行う場合の動作を示すフローチャートである。
【００３０】
まず、ライブビューモードでの撮影開始までのミラーアップシーケンスについて説明する。
【００３１】
まず、撮影者により、カメラ本体１に設けられたライブビュー操作スイッチ２１が操作され、ライブビュー撮影モードが起動される。ライブビュー撮影モードが起動されると、ステップＳ１０１では、ミラー駆動装置２０によりクイックリターンミラー８が撮像光学系から退避（ミラーアップ）される。
【００３２】
ステップＳ１０２では、シャッター制御装置２３によりシャッター先幕１５が開く方向に走行駆動されることにより、撮像素子１６は撮影レンズ２からの光束を受光することが可能となる。撮像素子１６に入射した被写体光は光電変換された後に画像処理され、ステップＳ１０３で表示器１７に表示されライブビュー表示状態となる。
【００３３】
次にライブビューモードでの撮影シーケンスについて説明する。
【００３４】
ステップＳ１０４ではレリーズスイッチ２２の半押しでＯＮとなりオートフォーカス処理等の撮影準備を行うシャッタースイッチ（ＳＷ１）が押下されたか否かを判別し、押下されたらステップＳ１０５へ進む。
【００３５】
ステップＳ１０５では、撮像素子１６からの画像信号を用いてコントラスト検出方式による焦点検出動作が行われ、レンズ６により被写体にピントが合わされる。
【００３６】
ステップＳ１０６では、さらにレリーズスイッチ２２の全押しでＯＮとなり、撮像素子１６での露光、撮像信号の読み出し等の一連の撮影動作を開始するシャッタースイッチ（ＳＷ２）が押下されたか否かを判別し、押下されたらステップＳ１０７へ進む。
【００３７】
ステップＳ１０７では、ストロボ装置４による閃光発光を行うか否かを判別し、閃光発光を行う場合はステップＳ１０８へ進み、閃光発光を行わない場合はステップＳ１２４へ進む。
【００３８】
ステップＳ１０８では、シャッター制御装置２３によりすでに走行されたシャッター先幕１５をチャージすると同時にステップＳ１０９でミラー駆動装置２０によりクイックリターンミラー８を再び撮像光学系内に戻す（ミラーダウン）。
【００３９】
ステップＳ１１０では、ストロボ装置４により本発光に先立ち、調光のための閃光発光（プリ発光又は予備発光と言う）を行う。
【００４０】
ステップＳ１１１では、被写体からの反射光束を測光センサ１４で測光し、その測光結果に基づいて、本撮影時のストロボ装置４による閃光発光量を決定する。
【００４１】
ステップＳ１１１で測光が完了した後、ステップＳ１１２でミラー駆動装置２０によりクイックリターンミラー８を再び撮像光学系から退避させる。
【００４２】
その後、カメラ制御部４７によりステップＳ１１３で撮像素子１６の電荷クリアを行った後に、ステップＳ１１４で撮像素子１６の電荷蓄積を開始させる。そして、シャッター制御装置２３によってステップＳ１１５でシャッター先幕１５を走行させ、ステップＳ１１６で撮像素子１６の露光を開始させる。
【００４３】
ここでステップＳ１１７ではステップＳ１１１で決定された閃光発光量にしたがって、ストロボ装置４による本撮影のための閃光発光（本発光）を行う。
【００４４】
ステップＳ１１８では、カメラ制御部４７はステップＳ１１１（又はステップＳ１２６）で得られた測光データにしたがって撮像素子１６の露光終了を待つ。そして、ステップＳ１１９でシャッター制御装置２３により図示しないシャッター後幕を走行させ、シャッターを閉じる。
【００４５】
その後、ステップＳ１２０で撮像素子１６の電荷蓄積を終了した後、ステップＳ１２１で撮像素子１６から電荷信号を読み出し、撮影画像データとするための所定の処理が行われる。
【００４６】
一連の処理を終えたならば、シャッター制御装置２３によりステップＳ１２２でシャッター先幕１５、シャッター後幕がチャージされる。
【００４７】
そして、次の撮影のためステップＳ１２３でシャッター先幕１５が走行し、再びライブビュー撮影開始の準備がなされる。
【００４８】
一方、ステップＳ１０７でストロボ装置４による閃光発光を行わない場合はステップＳ１２４へ進む。
【００４９】
ステップＳ１２４では、ライブビュー表示状態で被写体像を取り込むのと同様に、撮像素子１６で取り込んだ被写体像を用いて測光を行う。具体的には、取得された画像の輝度分布から、適正な露光量となる値を算出する。
【００５０】
そして、ステップＳ１２５で、シャッター制御装置２３によりすでに走行されたシャッター先幕１５をチャージする。
【００５１】
次に、ステップＳ１２６でミラー駆動装置２０によりクイックリターンミラー８を撮像光学系から退避させる。
【００５２】
その後、ステップＳ１２７でカメラ制御部４７により撮像素子１６の電荷クリアを行った後に、ステップＳ１２８で撮像素子１６の電荷蓄積を開始させる。さらに、ステップＳ１２９でシャッター制御装置２３によってシャッター先幕１５を走行させ、ステップＳ１３０で撮像素子１６の露光を開始しステップＳ１１８へ進む。
【００５３】
このように、本実施形態では、ライブビュー撮影シーケンスにおいて一度走行したシャッター先幕１５をチャージし、さらにクイックリターンミラー８を介して測光用センサ１４によって測光を行う。これにより、レリーズシーケンス中の極めて短い時間内に測光を行うことができると共に、ダイナミックレンジの広い測光用センサ１４を用いるために適切な測光値を精度よく得ることが可能となる。すなわち、ストロボ装置のプリ発光による測光を極めて短い時間で正確に行うことができ、プリ発光から本発光までのタイムラグを小さくすることができる。一方で、ストロボを用いずに撮影する場合には、ライブビュー表示の状態から継続して撮像素子を用いて測光まで行うので、いち早く本撮影に移行することが可能である。したがって、撮影指示であるＳＷ２から撮影画像取得開始までのタイムラグを小さくすることができる。
【００５４】
（第２の実施形態）
次に図５を参照して本発明の第２の実施形態の撮影動作について詳細に説明する。
【００５５】
第２の実施形態のデジタルカメラの構成は、第１の実施形態と同様であるので説明を省略する。また、動作については、前述の図４と共通する部分は同じ記号で示している。
【００５６】
まず、ライブビューモードでの撮影開始までのミラーアップシーケンスは第１の実施形態と同様であるため説明を省略する。
【００５７】
次にライブビューモードでの撮影シーケンスについて説明する。
【００５８】
ステップＳ１０４ではレリーズスイッチ２２の半押しでＯＮとなりオートフォーカス処理等の撮影準備を行うシャッタースイッチ（ＳＷ１）が押下されたか否かを判別し、押下されたらステップＳ１０５へ進む。
【００５９】
ステップＳ１０５では、撮像素子１６からの画像信号を用いてコントラスト検出方式による焦点検出動作が行われ、レンズ６により被写体にピントが合わされる。
【００６０】
ステップＳ１０６では、さらにレリーズスイッチ２２の全押しでＯＮとなり、撮像素子１６での露光、撮像信号の読み出し等の一連の撮影動作を開始するシャッタースイッチ（ＳＷ２）が押下されたか否かを判別し、押下されたらステップＳ１０７へ進む。
【００６１】
ステップＳ１０７では、ストロボ装置４による閃光発光を行うか否かを判別し、閃光発光を行う場合はステップＳ１０８ａへ進み、閃光発光を行わない場合はステップＳ１２４ａへ進む。
【００６２】
ステップＳ１０８ａでは、シャッター制御装置２３によりすでに走行されたシャッター先幕１５をチャージする。
【００６３】
ステップＳ１１０では、ストロボ装置４により本発光に先立ち、調光のための閃光発光（プリ発光）を行う。
【００６４】
ステップＳ１１１ａでは、被写体で反射されさらにシャッター先幕１５で反射された光束を調光用測光センサ１８で測光し、その測光結果に基づいて、本撮影時のストロボ装置４による閃光発光量を決定する。
【００６５】
その後、カメラ制御部４７によりステップＳ１１３で撮像素子１６の電荷クリアを行った後に、ステップＳ１１４で撮像素子１６の電荷蓄積を開始させる。そして、シャッター制御装置２３によってステップＳ１１５でシャッター先幕１５を走行させ、ステップＳ１１６で撮像素子１６の露光を開始させる。
【００６６】
ここでステップＳ１１７ではステップＳ１１１で決定された閃光発光量にしたがって、ストロボ装置４による本撮影のための閃光発光（本発光）を行う。
【００６７】
ステップＳ１１８では、カメラ制御部４７はステップＳ１１１（又はステップＳ１２６）で得られた測光データにしたがって撮像素子１６の露光終了を待つ。そして、ステップＳ１１９でシャッター制御装置２３により図示しないシャッター後幕を走行させ、シャッターを閉じる。
【００６８】
その後、ステップＳ１２０で撮像素子１６の電荷蓄積を終了した後、ステップＳ１２１で撮像素子１６から電荷信号を読み出し、撮影画像データとするための所定の処理が行われる。
【００６９】
一連の処理を終えたならば、シャッター制御装置２３によりステップＳ１２２でシャッター先幕１５、シャッター後幕がチャージされる。
【００７０】
そして、次の撮影のためステップＳ１２３でシャッター先幕１５が走行し、再びライブビュー撮影開始の準備がなされる。
【００７１】
一方、ステップＳ１０７でストロボ装置４による閃光発光を行わない場合はステップＳ１２４ａへ進む。
【００７２】
ステップＳ１２４ａでは、ライブビュー表示状態で被写体像を取り込むのと同様に、撮像素子１６で取り込んだ被写体像を用いて測光を行う。具体的には、取得された画像の輝度分布から、適正な露光量となる値を算出する。次に、ステップＳ１２５ａで、シャッター制御装置２３によりすでに走行されたシャッター先幕１５をチャージして閉じた状態とする。
【００７３】
その後、ステップＳ１２８でカメラ制御部４７により撮像素子１６の電荷クリアを行った後に、ステップＳ１２９で撮像素子１６の電荷蓄積を開始させる。さらに、ステップＳ１３０でシャッター制御装置２３によってシャッター先幕１５を走行させ、ステップＳ１３１で撮像素子１６の露光を開始しステップＳ１１８へ進む。
【００７４】
このように、本実施形態では、ライブビュー撮影シーケンスにおいて一度走行したシャッター先幕１５をチャージし、調光用に設けられた調光用測光センサ１８によって測光を行う。これにより、レリーズシーケンス中の極めて短い時間内に測光を行うことができると共に、ダイナミックレンジの広い調光用測光センサ１８を用いるために適切な測光値を精度よく得ることが可能となる。すなわち、ストロボ装置のプリ発光による測光を極めて短い時間で正確に行うことができ、プリ発光から本発光までのタイムラグを小さくすることができる。さらに、測光時にクイックリターンミラーを駆動させることがないため省エネルギー化も可能となる。一方で、ストロボを用いずに撮影する場合には、ライブビュー表示の状態から継続して撮像素子を用いて測光まで行うので、いち早く本撮影に移行することが可能である。したがって、撮影指示であるＳＷ２から撮影画像取得開始までのタイムラグを小さくすることができる。
【００７５】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【００７６】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【００７７】
本発明を上記記憶媒体に適用する場合、その記憶媒体には、先に説明した手順に対応するプログラムコードが格納されることになる。
【図面の簡単な説明】
【００７８】
【図１】本発明の第１の実施形態に係わる一眼レフデジタルカメラの光学的配置を示した図である。
【図２】本発明の第１の実施形態に係わる一眼レフデジタルカメラの光学的配置を示した図である。
【図３】第１の実施形態に係わる一眼レフデジタルカメラのブロック構成を示す図である。
【図４】第１の実施形態の一眼レフデジタルカメラにおける、ライブビューモードで撮影を行う場合の動作を示すフローチャートである。
【図５】第２の実施形態の一眼レフデジタルカメラにおける、ライブビューモードで撮影を行う場合の動作を示すフローチャートである。
【符号の説明】
【００７９】
１  カメラ本体
２  撮影レンズ
３  マウント部
４  ストロボ装置
５  レンズ
６  レンズ
７  絞り
８  クイックリターンミラー
９  ピント板
１０  コンデンサレンズ
１１  ペンタプリズム
１２  アイピースレンズ
１３  測光用レンズ
１４  測光用センサ
１５  シャッター先幕
１６  撮像素子
１７  表示器
１８  調光用測光センサ
１９  測光用集光レンズ
【図１】
2008122534.tif 000003
【図２】
2008122534.tif 000004
【図３】
2008122534.tif 000005
【図４】
2008122534.tif 000006
【図５】
2008122534.tif 000007